【事件の表示】
　特願２０１３−１７２５２９「情報処理装置，情報処理方法，ならびにそのプログラムおよび記憶媒体」拒絶査定不服審判事件〔平成２６年　２月　６日出願公開，特開２０１４−　２６６５６〕について，次のとおり審決する。
【結　論】
　本件審判の請求は，成り立たない。
【理　由】
第１．手続の経緯
　本願は，平成１９年９月２０日に出願した特願２００７−２４４１００号の一部を，特許法第４４条第１項の規定により，平成２５年８月２２日に新たな特許出願としたものであって，
　平成２５年９月２４日付けで審査請求がなされ，平成２６年３月１３日付けで手続補正がなされ，平成２６年９月１１日付けで審査官により拒絶理由が通知され，これに対して平成２６年１１月１７日付けで意見書が提出されると共に手続補正がなされたが，平成２７年３月１８日付けで審査官により拒絶査定がなされ，これに対して平成２７年６月２４日付けで審判請求がなされると共に手続補正がなされ，平成２７年８月２１日付けで審査官により特許法第１６４条第３項の規定に基づく報告がなされ，平成２８年１月２１日付けで審判請求人より上申書の提出がなされたものである。
　
第２．平成２７年６月２４日付けの手続補正の却下の決定
　
　［補正却下の決定の結論］
　
　平成２７年６月２４日付け手続補正を却下する。
　
　［理由］
　
１．補正の内容
　平成２７年６月２４日付けの手続補正（以下，「本件手続補正」という）により，平成２６年１１月１７日付けの手続補正により補正された特許請求の範囲，
「　【請求項１】
　サーバーシステム外の第１のウェブブラウザおよび第２のウェブブラウザと通信可能な前記サーバーシステムであって，
　前記第１のウェブブラウザによって表示されるデータを記憶する記憶手段と，
　前記記憶手段に記憶されている前記データをコピーするためのコピー指示が，前記第１のウェブブラウザを介してユーザーによってなされることに応じて，前記記憶手段に記憶されている当該データをペースト対象に設定する設定手段と，
　を有し，
　前記ペースト対象は，前記第２のウェブブラウザによって表示されるペースト先へペースト対象をペーストするためのペースト指示が，前記第２のウェブブラウザを介してユーザーによってなされることに応じて，当該ペースト先へペーストされる
　ことを特徴とするサーバーシステム。
　　【請求項２】
　サーバーシステム外の第１のウェブブラウザおよび第２のウェブブラウザと通信可能な前記サーバーシステムであって，
　前記第１のウェブブラウザによって表示されるデータを記憶する記憶手段と，
　前記記憶手段に記憶されている前記データをコピーするためのコピー指示が，前記第１のウェブブラウザを介してユーザーによってなされることに応じて，前記記憶手段に記憶されている当該データをペースト対象に設定する設定手段と，
　前記第２のウェブブラウザによって表示されるペースト先へペースト対象をペーストするためのペースト指示が，前記第２のウェブブラウザを介してユーザーによってなされることに応じて，前記設定手段によって設定されているペースト対象を，当該ペースト先へペーストするペースト手段と，
　を有することを特徴とするサーバーシステム。
　　【請求項３】
　前記第１のウェブブラウザは，前記サーバーシステム外のクライアント装置上で起動されることを特徴とする請求項１または２に記載のサーバーシステム。
　　【請求項４】
　前記第２のウェブブラウザは，前記サーバーシステム外のクライアント装置上で起動されることを特徴とする請求項１乃至３の何れか１項に記載のサーバーシステム。
　　【請求項５】
　前記第１のウェブブラウザおよび前記第２のウェブブラウザには，それぞれ識別情報が入力され，
　前記サーバーシステムは，
　前記第２のウェブブラウザに入力された前記識別情報が，前記第１のウェブブラウザに入力された前記識別情報と同じ識別情報であるかどうかを判定する判定手段をさらに有し，
前記判定手段によって，前記第２のウェブブラウザに入力された前記識別情報が，前記第１のウェブブラウザに入力された前記識別情報と同じ識別情報であると判定された場合に，前記第２のウェブブラウザを介してなされる前記ペースト指示が許可される
　ことを特徴とする請求項１乃至４の何れか１項に記載のサーバーシステム。
　　【請求項６】
　前記第１のウェブブラウザに入力された前記識別情報および前記第２のウェブブラウザに入力された前記識別情報は，前記サーバーシステムと通信するウェブブラウザを識別するために用いられる情報であることを特徴とする請求項５に記載のサーバーシステム。
　　【請求項７】
　前記第１のウェブブラウザに入力された前記識別情報は，前記第１のウェブブラウザに対して前記サーバーシステムが発行した情報であり，
　前記第２のウェブブラウザに入力された前記識別情報は，前記第２のウェブブラウザに対してユーザーが入力した情報である
　ことを特徴とする請求項５または６に記載のサーバーシステム。
　　【請求項８】
　一方のウェブブラウザによって表示されるデータが他方のウェブブラウザによって共有されていることを表す情報を，当該一方のウェブブラウザに表示させるような制御を行う制御手段を有し，
　前記制御手段は，
　前記判定手段によって，前記第２のウェブブラウザに入力された前記識別情報が，前記第１のウェブブラウザに入力された前記識別情報と同じ識別情報であると判定された場合に，前記識別情報が入力された後の前記第２のウェブブラウザに，前記第２のウェブブラウザによって表示されるデータが，前記第２のウェブブラウザに入力された前記識別情報と同じ識別情報が入力された前記第１のウェブブラウザによって共有されていることを表す情報を表示させるような制御を行う
　ことを特徴とする請求項５乃至７の何れか１項に記載のサーバーシステム。
　　【請求項９】
　前記判定手段によって，前記第２のウェブブラウザに入力された前記識別情報が，前記第１のウェブブラウザに入力された前記識別情報と同じ識別情報であると判定される場合の前記制御手段による前記制御において，前記識別情報が入力される前の前記第２のウェブブラウザには，前記第２のウェブブラウザによって表示されるデータが，前記第２のウェブブラウザに入力される前記識別情報と同じ識別情報が入力された前記第１のウェブブラウザによって共有されていることを表す情報が表示されないことを特徴とする請求項８に記載のサーバーシステム。
　　【請求項１０】
　前記第２のウェブブラウザによって表示されるデータが前記第１のウェブブラウザによって共有されていることを表す情報は，前記第１のウェブブラウザに入力された識別情報に関する情報であることを特徴とする請求項８または９に記載のサーバーシステム。
　　【請求項１１】
　前記コピー指示は，前記データが前記記憶手段に記憶されている状態でなされることを特徴とする請求項１乃至１０の何れか１項に記載のサーバーシステム。
　　【請求項１２】
　前記コピー指示は，前記データが前記第１のウェブブラウザによって表示されている状態でなされることを特徴とする請求項１乃至１１の何れか１項に記載のサーバーシステム。
　　【請求項１３】
　前記データは，前記第１のウェブブラウザによって表示されている複数のデータのうちの，ユーザーによって選択されたデータであることを特徴とする請求項１２に記載のサーバーシステム。
　　【請求項１４】
　前記ペースト指示は，前記ペースト先が前記第２のウェブブラウザによって表示されている状態でなされることを特徴とする請求項１乃至１３の何れか１項に記載のサーバーシステム。
　　【請求項１５】
　前記設定手段によって前記記憶手段に記憶されているデータがペースト対象に設定されると，当該データを識別するための情報が，ペースト対象を表すリストに登録されることを特徴とする請求項１乃至１４の何れか１項に記載のサーバーシステム。
　　【請求項１６】
　前記リストには，前記情報が複数，登録されており，
　ペースト対象がペースト先へペーストされるとは，前記リストに登録されている前記複数の情報のうち，前記ペースト指示がなされる際にユーザーによって指定された情報によって識別されるデータが，前記ペースト指示がなされることに応じて前記ペースト先へペーストされることであることを特徴とする請求項１５に記載のサーバーシステム。
　　【請求項１７】
　前記ペースト先は，前記第２のウェブブラウザを介して指定される，前記第２のウェブブラウザを起動するクライアント装置の外部の場所であることを特徴とする請求項１乃至１６の何れか１項に記載のサーバーシステム。
　　【請求項１８】
　前記ペースト先は，前記第１のウェブブラウザを起動するクライアント装置の外部の場所であることを特徴とする請求項１７に記載のサーバーシステム。
　　【請求項１９】
　前記ペーストの結果は，前記第２のウェブブラウザによって表示されることを特徴とする請求項１乃至１８の何れか１項に記載のサーバーシステム。
　　【請求項２０】
　前記サーバーシステムは，前記第１のウェブブラウザおよび前記第２のウェブブラウザを介して利用されるアプリケーションソフトウェアサービスを，ネットワークを介して提供し，
　前記記憶手段および前記設定手段は，前記アプリケーションソフトウェアサービスにおいて動作することを特徴とする請求項１乃至１９の何れか１項に記載のサーバーシステム。
　　【請求項２１】
　前記第１のウェブブラウザおよび前記第２のウェブブラウザは，前記サーバーシステム外の同一のクライアント装置上で起動されることを特徴とする請求項１乃至２０の何れか１項に記載のサーバーシステム。
　　【請求項２２】
　前記第１のウェブブラウザおよび前記第２のウェブブラウザは，同一のウェブブラウザであることを特徴とする請求項２１に記載のサーバーシステム。
　　【請求項２３】
　前記第１のウェブブラウザおよび前記第２のウェブブラウザは，異なるウェブブラウザであることを特徴とする請求項２１に記載のサーバーシステム。
　　【請求項２４】
　前記設定手段によってペースト対象に設定されたデータを，ユーザーによってなされる指示に応じて，ペースト対象から外す除外手段をさらに有する請求項１乃至２３の何れか１項に記載のサーバーシステム。
　　【請求項２５】
　サーバーシステム外の第１のウェブブラウザおよび第２のウェブブラウザと通信可能な前記サーバーシステムが行う方法であって，
　前記第１のウェブブラウザによって表示されるデータを記憶する記憶工程と，
前記記憶工程によって記憶されている前記データをコピーするためのコピー指示が，前記第１のウェブブラウザを介してユーザーによってなされることに応じて，前記記憶工程によって記憶されている当該データをペースト対象に設定する設定工程と，
　を有し，
　前記ペースト対象は，前記第２のウェブブラウザによって表示されるペースト先へペースト対象をペーストするためのペースト指示が，前記第２のウェブブラウザを介してユーザーによってなされることに応じて，当該ペースト先へペーストされる
　ことを特徴とする方法。
　　【請求項２６】
　サーバーシステム外の第１のウェブブラウザおよび第２のウェブブラウザと通信可能な前記サーバーシステムが行う方法であって，
　前記第１のウェブブラウザによって表示されるデータを記憶する記憶工程と，
　前記記憶工程によって記憶されている前記データをコピーするためのコピー指示が，前記第１のウェブブラウザを介してユーザーによってなされることに応じて，前記記憶工程によって記憶されている当該データをペースト対象に設定する設定工程と，
　前記第２のウェブブラウザによって表示されるペースト先へペースト対象をペーストするためのペースト指示が，前記第２のウェブブラウザを介してユーザーによってなされることに応じて，前記設定工程で設定されているペースト対象を，当該ペースト先へペーストするペースト工程と，
　有することを特徴とする方法。
　　【請求項２７】
　第１のウェブブラウザを起動するクライアント装置であって，
　前記クライアント装置とは異なるサーバーシステムに記憶されているデータを，前記第１のウェブブラウザに表示させる表示手段と，
　前記第１のウェブブラウザにおいて，前記第１のウェブブラウザによって表示されている前記データをコピーするためのコピー指示を，ユーザーから受け付ける受け付け手段と，
　前記受け付け手段が前記コピー指示をユーザーから受け付けたことに基づいて，前記データが前記サーバーシステムにおいてペースト対象に設定されるための所定の情報を前記サーバーシステムに通知する通知手段と，
　を有し，
　前記所定の情報が前記通知手段によって通知されてペースト対象が設定された後に当該設定されたペースト対象のペーストの指示が前記第１のウェブブラウザとは異なる第２のウェブブラウザにおいてユーザーから受け付けられたことに基づいて，前記ペースト対象はペーストされる
　ことを特徴とするクライアント装置。
　　【請求項２８】
　前記第２のウェブブラウザにおいて，前記所定の情報が前記通知手段によって通知されてペースト対象が設定された後に，当該設定されたペースト対象のペーストの指示をユーザーから受け付ける別の受け付け手段を有することを特徴とする請求項２７に記載のクライアント装置。
　　【請求項２９】
　前記設定されたペースト対象のペーストの前記指示が前記別の受け付け手段によって受け付けられたことに基づいて，前記ペースト対象が前記サーバーシステムにおいてペーストされるための所定の情報を前記サーバーシステムに通知する別の通知手段を有し，
　前記設定されたペースト対象は，前記別の通知手段による通知に基づいて，前記サーバーシステムによってペーストされる
　ことを特徴とする請求項２８に記載のクライアント装置。
　　【請求項３０】
　前記受け付け手段と，前記別の受け付け手段とは，同タイプの受け付け手段であることを特徴とする請求項２８または２９に記載のクライアント装置。
　　【請求項３１】
　前記ペースト対象は，前記ペーストの指示の際に前記第２のウェブブラウザを介してユーザーから選択されたペースト先にペーストされることを特徴とする請求項２７乃至３０の何れか１項に記載のクライアント装置。
　　【請求項３２】
　第１のウェブブラウザとは異なる第２のウェブブラウザを起動するクライアント装置であって，
　前記第２のウェブブラウザにおいて，ペースト先の選択をユーザーから受け付ける第１の受け付け手段と，
　前記第２のウェブブラウザにおいて，前記第１のウェブブラウザにおいてユーザーによってコピーが指示されたデータのペーストの指示を，ユーザーによる前記コピー指示の後にユーザーから受け付ける第２の受け付け手段と，
　前記第２の受け付け手段が前記ペーストの指示をユーザーから受け付けたことに応じて，前記クライアント装置とは異なるサーバーシステムに，前記コピーが指示された前記データを前記第１の受け付け手段が受け付けた選択に対応するペースト先へペーストさせる手段と，
　前記ペースト先へのペーストが行われた結果を，前記第２のウェブブラウザにおいて表示する手段と，
　を有し，
　前記第１のウェブブラウザにおいてユーザーによってコピーが指示された前記データは，前記サーバーシステムに記憶されているデータである
　ことを特徴とするクライアント装置。
　　【請求項３３】
　前記第１のウェブブラウザにおいてユーザーによってコピーが指示された前記データは，当該指示が前記第１のウェブブラウザにおいてなされた時点において，前記サーバーシステムに記憶されているデータであることを特徴とする請求項２７乃至３２の何れか１項に記載のクライアント装置。
　　【請求項３４】
　前記第１のウェブブラウザにおいてユーザーによってコピーが指示された前記データは，当該指示が前記第１のウェブブラウザにおいてなされた時点において，前記第１のウェブブラウザによって表示されている複数のデータのうちの，ユーザーによって選択されたデータであることを特徴とする請求項２７乃至３３の何れか１項に記載のクライアント装置。
　　【請求項３５】
　前記第１のウェブブラウザおよび前記第２のウェブブラウザは，前記クライアント装置上で起動されることを特徴とする請求項２７乃至３４の何れか１項に記載のクライアント装置。
　　【請求項３６】
　第１のウェブブラウザを起動するクライアント装置の行う方法であって，
　前記クライアント装置とは異なるサーバーシステムに記憶されているデータを，前記第１のウェブブラウザに表示させる表示工程と，
　前記第１のウェブブラウザにおいて，前記第１のウェブブラウザによって表示されている前記データをコピーするためのコピー指示を，ユーザーから受け付ける受け付け工程と，
　前記受け付け工程で前記コピー指示がユーザーから受け付けられたことに基づいて，前記データが前記サーバーシステムにおいてペースト対象に設定されるための所定の情報を前記サーバーシステムに通知する通知工程と，
　を有し，
　前記所定の情報が前記通知工程によって通知されてペースト対象が設定された後に当該設定されたペースト対象のペーストの指示が前記第１のウェブブラウザとは異なる第２のウェブブラウザにおいてユーザーから受け付けられたことに基づいて，前記ペースト対象はペーストされる
　ことを特徴とする方法。
　　【請求項３７】
　前記第２のウェブブラウザにおいて，前記所定の情報が前記通知手段によって通知されてペースト対象が設定された後に，当該設定されたペースト対象のペーストの指示をユーザーから受け付ける別の受け付け工程を有することを特徴とする請求項３６に記載の方法。
　　【請求項３８】
　前記設定されたペースト対象のペーストの前記指示が前記別の受け付け工程によって受け付けられたことに基づいて，前記ペースト対象が前記サーバーシステムにおいてペーストされるための所定の情報を前記サーバーシステムに通知する別の通知工程を有し，
　前記設定されたペースト対象は，前記別の通知工程による通知に基づいて，前記サーバーシステムによってペーストされることを特徴とする請求項３７に記載の方法。
　　【請求項３９】
　前記ペースト対象は，前記ペーストの指示の際に前記第２のウェブブラウザを介してユーザーから選択されたペースト先にペーストされることを特徴とする請求項３６乃至３８の何れか１項に記載の方法。
　　【請求項４０】
　第１のウェブブラウザとは異なる第２のウェブブラウザを起動するクライアント装置の行う方法であって，
　前記第２のウェブブラウザにおいて，ペースト先の選択をユーザーから受け付ける第１の受け付け工程と，
　前記第２のウェブブラウザにおいて，前記第１のウェブブラウザにおいてユーザーによってコピーが指示されたデータのペーストの指示を，ユーザーによる前記コピー指示の後にユーザーから受け付ける第２の受け付け工程と，
　前記第２の受け付け工程で前記ペーストの指示をユーザーから受け付けたことに応じて，前記クライアント装置とは異なるサーバーシステムに，前記コピーが指示された前記データを前記第１の受け付け工程で受け付けた選択に対応するペースト先へペーストさせる工程と，
　前記ペースト先へのペーストが行われた結果を，前記第２のウェブブラウザにおいて表示する工程と，
　を有し，
　前記第１のウェブブラウザにおいてユーザーによってコピーが指示された前記データは，前記サーバーシステムに記憶されているデータである
　ことを特徴とする方法。
　　【請求項４１】
　前記第１のウェブブラウザにおいてユーザーによってコピーが指示された前記データは，当該指示が前記第１のウェブブラウザにおいてなされた時点において，前記サーバーシステムに記憶されているデータであることを特徴とする請求項３６乃至４０の何れか１項に記載の方法。
　　【請求項４２】
　前記第１のウェブブラウザにおいてユーザーによってコピーが指示された前記データは，当該指示が前記第１のウェブブラウザにおいてなされた時点において，前記第１のウェブブラウザによって表示されている複数のデータのうちの，ユーザーによって選択されたデータであることを特徴とする請求項３６乃至４１の何れか１項に記載の方法。
　　【請求項４３】
　前記第１のウェブブラウザおよび前記第２のウェブブラウザは，前記クライアント装置上で起動されることを特徴とする請求項３６乃至４２の何れか１項に記載の方法。
　　【請求項４４】
　請求項１乃至２４，２７乃至３５の何れか１項に記載の各手段としてコンピュータを機能させるためのプログラム。」（以下，上記引用の請求項各項を，「補正前の請求項」という）は，
「　【請求項１】
　サーバーシステム外の第１のウェブブラウザおよび第２のウェブブラウザと通信可能な前記サーバーシステムであって，
　前記第１のウェブブラウザによって表示されるデータを記憶する記憶手段と，
前記記憶手段に記憶されている前記データをコピーするためのコピー指示が前記第１のウェブブラウザを介してユーザーによってなされることに応じて前記サーバーシステムに対して発行される，所定の情報を受信したことに基づいて，前記記憶手段に記憶されている当該データをペースト対象に設定する設定手段と，
を有し，
　前記ペースト対象は，前記第２のウェブブラウザによって表示されるペースト先へペースト対象をペーストするためのペースト指示が，ユーザーによる前記コピー指示がなされて前記所定の情報が前記サーバーシステムによって受信された後に，前記第２のウェブブラウザを介してユーザーによってなされることに応じて，当該ペースト先へペーストされる
　ことを特徴とするサーバーシステム。
　　【請求項２】
　サーバーシステム外の第１のウェブブラウザおよび第２のウェブブラウザと通信可能な前記サーバーシステムであって，
　前記第１のウェブブラウザによって表示されるデータを記憶する記憶手段と，
　前記記憶手段に記憶されている前記データをコピーするためのコピー指示が前記第１のウェブブラウザを介してユーザーによってなされることに応じて前記サーバーシステムに対して発行される，コピー指示の情報を受信したことに基づいて，前記記憶手段に記憶されている当該データをペースト対象に設定する設定手段と，
　前記第２のウェブブラウザによって表示されるペースト先へペースト対象をペーストするためのペースト指示が，前記コピー指示の情報が前記サーバーシステムによって受信された後に，前記第２のウェブブラウザを介してユーザーによってなされることに応じて前記サーバーシステムに対して発行される，ペースト指示の情報を受信したことに基づいて，前記設定手段によって設定されているペースト対象を，当該ペースト先へペーストするペースト手段と，
を有することを特徴とするサーバーシステム。
　　【請求項３】
　前記第１のウェブブラウザは，前記サーバーシステム外のクライアント装置上で起動されることを特徴とする請求項１または２に記載のサーバーシステム。
　　【請求項４】
　前記第２のウェブブラウザは，前記サーバーシステム外のクライアント装置上で起動されることを特徴とする請求項１乃至３の何れか１項に記載のサーバーシステム。
　　【請求項５】
　前記第１のウェブブラウザおよび前記第２のウェブブラウザには，それぞれ識別情報が入力され，
　前記サーバーシステムは，前記第２のウェブブラウザに入力された前記識別情報が，前記第１のウェブブラウザに入力された前記識別情報と同じ識別情報であるかどうかを判定する判定手段をさらに有し，前記判定手段によって，前記第２のウェブブラウザに入力された前記識別情報が，前記第１のウェブブラウザに入力された前記識別情報と同じ識別情報であると判定された場合に，前記第２のウェブブラウザを介してなされる前記ペースト指示が許可される
　ことを特徴とする請求項１乃至４の何れか１項に記載のサーバーシステム。
　　【請求項６】
　前記第１のウェブブラウザに入力された前記識別情報および前記第２のウェブブラウザに入力された前記識別情報は，前記サーバーシステムと通信するウェブブラウザを識別するために用いられる情報であることを特徴とする請求項５に記載のサーバーシステム。
　　【請求項７】
　前記第１のウェブブラウザに入力された前記識別情報は，前記第１のウェブブラウザに対して前記サーバーシステムが発行した情報であり，
　前記第２のウェブブラウザに入力された前記識別情報は，前記第２のウェブブラウザに対してユーザーが入力した情報である
　ことを特徴とする請求項５または６に記載のサーバーシステム。
　　【請求項８】
　一方のウェブブラウザによって表示されるデータが他方のウェブブラウザによって共有されていることを表す情報を，当該一方のウェブブラウザに表示させるような制御を行う制御手段を有し，
　前記制御手段は，前記判定手段によって，前記第２のウェブブラウザに入力された前記識別情報が，前記第１のウェブブラウザに入力された前記識別情報と同じ識別情報であると判定された場合に，前記識別情報が入力された後の前記第２のウェブブラウザに，前記第２のウェブブラウザによって表示されるデータが，前記第２のウェブブラウザに入力された前記識別情報と同じ識別情報が入力された前記第１のウェブブラウザによって共有されていることを表す情報を表示させるような制御を行う
　ことを特徴とする請求項５乃至７の何れか１項に記載のサーバーシステム。
　　【請求項９】
　前記判定手段によって，前記第２のウェブブラウザに入力された前記識別情報が，前記第１のウェブブラウザに入力された前記識別情報と同じ識別情報であると判定される場合の前記制御手段による前記制御において，前記識別情報が入力される前の前記第２のウェブブラウザには，前記第２のウェブブラウザによって表示されるデータが，前記第２のウェブブラウザに入力される前記識別情報と同じ識別情報が入力された前記第１のウェブブラウザによって共有されていることを表す情報が表示されないことを特徴とする請求項８に記載のサーバーシステム。
　　【請求項１０】
　前記第２のウェブブラウザによって表示されるデータが前記第１のウェブブラウザによって共有されていることを表す情報は，前記第１のウェブブラウザに入力された識別情報に関する情報であることを特徴とする請求項８または９に記載のサーバーシステム。
　　【請求項１１】
　前記コピー指示は，前記データが前記記憶手段に記憶されている状態でなされることを特徴とする請求項１乃至１０の何れか１項に記載のサーバーシステム。
　　【請求項１２】
　前記コピー指示は，前記データが前記第１のウェブブラウザによって表示されている状態でなされることを特徴とする請求項１乃至１１の何れか１項に記載のサーバーシステム。
　　【請求項１３】
　前記データは，前記第１のウェブブラウザによって表示されている複数のデータのうちの，ユーザーによって選択されたデータであることを特徴とする請求項１２に記載のサーバーシステム。
　　【請求項１４】
　前記ペースト指示は，前記ペースト先が前記第２のウェブブラウザによって表示されている状態でなされることを特徴とする請求項１乃至１３の何れか１項に記載のサーバーシステム。
　　【請求項１５】
　前記設定手段によって前記記憶手段に記憶されているデータがペースト対象に設定されると，当該データを識別するための情報が，ペースト対象を表すリストに登録されることを特徴とする請求項１乃至１４の何れか１項に記載のサーバーシステム。
　　【請求項１６】
　前記リストには，前記情報が複数，登録されており，
　ペースト対象がペースト先へペーストされるとは，前記リストに登録されている前記複数の情報のうち，前記ペースト指示がなされる際にユーザーによって指定された情報によって識別されるデータが，前記ペースト指示がなされることに応じて前記ペースト先へペーストされることである
　ことを特徴とする請求項１５に記載のサーバーシステム。
　　【請求項１７】
　前記ペースト先は，前記第２のウェブブラウザを介して指定される，前記第２のウェブブラウザを起動するクライアント装置の外部の場所であることを特徴とする請求項１乃至１６の何れか１項に記載のサーバーシステム。
　　【請求項１８】
　前記ペースト先は，前記第１のウェブブラウザを起動するクライアント装置の外部の場所であることを特徴とする請求項１７に記載のサーバーシステム。
　　【請求項１９】
　前記ペーストの結果は，前記第２のウェブブラウザによって表示されることを特徴とする請求項１乃至１８の何れか１項に記載のサーバーシステム。
　　【請求項２０】
　前記サーバーシステムは，前記第１のウェブブラウザおよび前記第２のウェブブラウザを介して利用されるアプリケーションソフトウェアサービスを，ネットワークを介して提供し，
　前記記憶手段および前記設定手段は，前記アプリケーションソフトウェアサービスにおいて動作することを特徴とする請求項１乃至１９の何れか１項に記載のサーバーシステム。
　　【請求項２１】
　前記第１のウェブブラウザおよび前記第２のウェブブラウザは，前記サーバーシステム外の同一のクライアント装置上で起動されることを特徴とする請求項１乃至２０の何れか１項に記載のサーバーシステム。
　　【請求項２２】
　前記第１のウェブブラウザおよび前記第２のウェブブラウザは，同一のウェブブラウザであることを特徴とする請求項２１に記載のサーバーシステム。
　　【請求項２３】
　前記第１のウェブブラウザおよび前記第２のウェブブラウザは，異なるウェブブラウザであることを特徴とする請求項２１に記載のサーバーシステム。
　　【請求項２４】
　前記設定手段によってペースト対象に設定されたデータを，ユーザーによってなされる指示に応じて，ペースト対象から外す除外手段をさらに有する請求項１乃至２３の何れか１項に記載のサーバーシステム。
　　【請求項２５】
　サーバーシステム外の第１のウェブブラウザおよび第２のウェブブラウザと通信可能な前記サーバーシステムが行う方法であって，
　前記第１のウェブブラウザによって表示されるデータを記憶する記憶工程と，
　前記記憶工程によって記憶されている前記データをコピーするためのコピー指示が前記第１のウェブブラウザを介してユーザーによってなされることに応じて前記サーバーシステムに対して発行される，所定の情報を受信したことに基づいて，前記記憶工程によって記憶されている当該データをペースト対象に設定する設定工程と，
を有し，
　前記ペースト対象は，前記第２のウェブブラウザによって表示されるペースト先へペースト対象をペーストするためのペースト指示が，ユーザーによる前記コピー指示がなされて前記所定の情報が前記サーバーシステムによって受信された後に，前記第２のウェブブラウザを介してユーザーによってなされることに応じて，当該ペースト先へペーストされる
　ことを特徴とする方法。
　　【請求項２６】
　サーバーシステム外の第１のウェブブラウザおよび第２のウェブブラウザと通信可能な前記サーバーシステムが行う方法であって，
　前記第１のウェブブラウザによって表示されるデータを記憶する記憶工程と，
　前記記憶工程によって記憶されている前記データをコピーするためのコピー指示が前記第１のウェブブラウザを介してユーザーによってなされることに応じて前記サーバーシステムに対して発行される，コピー指示の情報を受信したことに基づいて，前記記憶工程によって記憶されている当該データをペースト対象に設定する設定工程と，
　前記第２のウェブブラウザによって表示されるペースト先へペースト対象をペーストするためのペースト指示が，ユーザーによる前記コピー指示がなされて前記コピー指示の情報が前記サーバーシステムによって受信された後に，前記第２のウェブブラウザを介してユーザーによってなされることに応じて前記サーバーシステムに対して発行される，ペースト指示の情報を受信したことに基づいて，前記設定工程で設定されているペースト対象を，当該ペースト先へペーストするペースト工程と，
を有することを特徴とする方法。
　　【請求項２７】
　第１のウェブブラウザを起動するクライアント装置であって，
　前記クライアント装置とは異なるサーバーシステムに記憶されているデータを，前記第１のウェブブラウザに表示させる表示手段と，
　前記第１のウェブブラウザにおいて，前記第１のウェブブラウザによって表示されている前記データをコピーするためのコピー指示を，ユーザーから受け付ける受け付け手段と，
前記受け付け手段が前記コピー指示をユーザーから受け付けたことに基づいて，前記データが前記サーバーシステムにおいてペースト対象に設定されるための所定の情報を前記サーバーシステムに通知する通知手段と，
を有し，
　前記所定の情報が前記通知手段によって通知されてペースト対象が設定された後に当該設定されたペースト対象のペーストの指示が前記第１のウェブブラウザとは異なる第２のウェブブラウザにおいてユーザーから受け付けられたことに基づいて，前記ペースト対象はペーストされる
　ことを特徴とするクライアント装置。
　　【請求項２８】
　前記第２のウェブブラウザにおいて，前記所定の情報が前記通知手段によって通知されてペースト対象が設定された後に，当該設定されたペースト対象のペーストの指示をユーザーから受け付ける別の受け付け手段を有することを特徴とする請求項２７に記載のクライアント装置。
　　【請求項２９】
　前記設定されたペースト対象のペーストの前記指示が前記別の受け付け手段によって受け付けられたことに基づいて，前記ペースト対象が前記サーバーシステムにおいてペーストされるための所定の情報を前記サーバーシステムに通知する別の通知手段を有し，
　前記設定されたペースト対象は，前記別の通知手段による通知に基づいて，前記サーバーシステムによってペーストされる
　ことを特徴とする請求項２８に記載のクライアント装置。
　　【請求項３０】
　前記受け付け手段と，前記別の受け付け手段とは，同タイプの受け付け手段であることを特徴とする請求項２８または２９に記載のクライアント装置。
　　【請求項３１】
　前記ペースト対象は，前記ペーストの指示の際に前記第２のウェブブラウザを介してユーザーから選択されたペースト先にペーストされることを特徴とする請求項２７乃至３０の何れか１項に記載のクライアント装置。
　　【請求項３２】
　第１のウェブブラウザとは異なる第２のウェブブラウザを起動するクライアント装置であって，
　前記第２のウェブブラウザにおいて，ペースト先の選択をユーザーから受け付ける第１の受け付け手段と，
　前記第２のウェブブラウザにおいて，前記第１のウェブブラウザにおいてユーザーによってコピーが指示されたデータのペーストの指示を，ユーザーによる前記コピー指示の情報が前記クライアント装置とは異なるサーバーシステムに通知された後にユーザーから受け付ける第２の受け付け手段と，
　前記第２の受け付け手段が前記ペーストの指示をユーザーから受け付けたことに応じて，前記サーバーシステムに，前記コピーが指示された前記データを前記第１の受け付け手段が受け付けた選択に対応するペースト先へペーストさせる手段と，
　前記ペースト先へのペーストが行われた結果を，前記第２のウェブブラウザにおいて表示する手段と，
を有し，
　前記第１のウェブブラウザにおいてユーザーによってコピーが指示された前記データは，前記サーバーシステムに記憶されているデータである
ことを特徴とするクライアント装置。
　　【請求項３３】
　前記第１のウェブブラウザにおいてユーザーによってコピーが指示された前記データは，当該指示が前記第１のウェブブラウザにおいてなされた時点において，前記サーバーシステムに記憶されているデータであることを特徴とする請求項２７乃至３２の何れか１項に記載のクライアント装置。
　　【請求項３４】
　前記第１のウェブブラウザにおいてユーザーによってコピーが指示された前記データは，当該指示が前記第１のウェブブラウザにおいてなされた時点において，前記第１のウェブブラウザによって表示されている複数のデータのうちの，ユーザーによって選択されたデータであることを特徴とする請求項２７乃至３３の何れか１項に記載のクライアント装置。
　　【請求項３５】
　前記第１のウェブブラウザおよび前記第２のウェブブラウザは，前記クライアント装置上で起動されることを特徴とする請求項２７乃至３４の何れか１項に記載のクライアント装置。
　　【請求項３６】
　第１のウェブブラウザを起動するクライアント装置の行う方法であって，
　前記クライアント装置とは異なるサーバーシステムに記憶されているデータを，前記第１のウェブブラウザに表示させる表示工程と，
　前記第１のウェブブラウザにおいて，前記第１のウェブブラウザによって表示されている前記データをコピーするためのコピー指示を，ユーザーから受け付ける受け付け工程と，
前記受け付け工程で前記コピー指示がユーザーから受け付けられたことに基づいて，前記データが前記サーバーシステムにおいてペースト対象に設定されるための所定の情報を前記サーバーシステムに通知する通知工程と，
を有し，
　前記所定の情報が前記通知工程によって通知されてペースト対象が設定された後に当該設定されたペースト対象のペーストの指示が前記第１のウェブブラウザとは異なる第２のウェブブラウザにおいてユーザーから受け付けられたことに基づいて，前記ペースト対象はペーストされる
　ことを特徴とする方法。
　　【請求項３７】
　前記第２のウェブブラウザにおいて，前記所定の情報が前記通知工程によって通知されてペースト対象が設定された後に，当該設定されたペースト対象のペーストの指示をユーザーから受け付ける別の受け付け工程を有することを特徴とする請求項３６に記載の方法。
　　【請求項３８】
　前記設定されたペースト対象のペーストの前記指示が前記別の受け付け工程によって受け付けられたことに基づいて，前記ペースト対象が前記サーバーシステムにおいてペーストされるための所定の情報を前記サーバーシステムに通知する別の通知工程を有し，前記設定されたペースト対象は，前記別の通知工程による通知に基づいて，前記サーバーシステムによってペーストされることを特徴とする請求項３７に記載の方法。
　　【請求項３９】
　前記ペースト対象は，前記ペーストの指示の際に前記第２のウェブブラウザを介してユーザーから選択されたペースト先にペーストされることを特徴とする請求項３６乃至３８の何れか１項に記載の方法。
　　【請求項４０】
　第１のウェブブラウザとは異なる第２のウェブブラウザを起動するクライアント装置の行う方法であって，
　前記第２のウェブブラウザにおいて，ペースト先の選択をユーザーから受け付ける第１の受け付け工程と，
　前記第２のウェブブラウザにおいて，前記第１のウェブブラウザにおいてユーザーによってコピーが指示されたデータのペーストの指示を，ユーザーによる前記コピー指示の情報が前記クライアント装置とは異なるサーバーシステムに通知された後にユーザーから受け付ける第２の受け付け工程と，
　前記第２の受け付け工程で前記ペーストの指示をユーザーから受け付けたことに応じて，前記サーバーシステムに，前記コピーが指示された前記データを前記第１の受け付け工程で受け付けた選択に対応するペースト先へペーストさせる工程と，
　前記ペースト先へのペーストが行われた結果を，前記第２のウェブブラウザにおいて表示する工程と，
を有し，
　前記第１のウェブブラウザにおいてユーザーによってコピーが指示された前記データは，前記サーバーシステムに記憶されているデータである
ことを特徴とする方法。
　　【請求項４１】
　前記第１のウェブブラウザにおいてユーザーによってコピーが指示された前記データは，当該指示が前記第１のウェブブラウザにおいてなされた時点において，前記サーバーシステムに記憶されているデータであることを特徴とする請求項３６乃至４０の何れか１項に記載の方法。
　　【請求項４２】
　前記第１のウェブブラウザにおいてユーザーによってコピーが指示された前記データは，当該指示が前記第１のウェブブラウザにおいてなされた時点において，前記第１のウェブブラウザによって表示されている複数のデータのうちの，ユーザーによって選択されたデータであることを特徴とする請求項３６乃至４１の何れか１項に記載の方法。
　　【請求項４３】
　前記第１のウェブブラウザおよび前記第２のウェブブラウザは，前記クライアント装置上で起動されることを特徴とする請求項３６乃至４２の何れか１項に記載の方法。
　　【請求項４４】
　請求項１乃至２４，２７乃至３５の何れか１項に記載の各手段としてコンピュータを機能させるためのプログラム。」（以下，上記引用の請求項各項を，「補正後の請求項」という）に補正された。
　
２．補正の適否
（１）新規事項・目的要件
　本件手続補正によって，補正前の請求項１の，
「コピー指示が，前記第１のウェブブラウザを介してユーザーによってなされることに応じて，前記記憶手段に記憶されている当該データをペースト対象に設定する」，
　及び，
「ペースト指示が，前記第２のウェブブラウザを介してユーザーによってなされることに応じて，当該ペースト先へペーストされる」，
　という記載が，補正後の請求項１の，
「コピー指示が前記第１のウェブブラウザを介してユーザーによってなされることに応じて前記サーバーシステムに対して発行される，所定の情報を受信したことに基づいて，前記記憶手段に記憶されている当該データをペースト対象に設定する」，
　及び，
「ペースト指示が，ユーザーによる前記コピー指示がなされて前記所定の情報が前記サーバーシステムによって受信された後に，前記第２のウェブブラウザを介してユーザーによってなされることに応じて，当該ペースト先へペーストされる」，
　という記載に，補正前の請求項２の，
「コピー指示が，前記第１のウェブブラウザを介してユーザーによってなされることに応じて，前記記憶手段に記憶されている当該データをペースト対象に設定する」，
　及び，
「ペースト指示が，前記第２のウェブブラウザを介してユーザーによってなされることに応じて，前記設定手段によって設定されているペースト対象を，当該ペースト先へペーストする」，
　という記載が，補正後の請求項２の，
「コピー指示が前記第１のウェブブラウザを介してユーザーによってなされることに応じて前記サーバーシステムに対して発行される，コピー指示の情報を受信したことに基づいて，前記記憶手段に記憶されている当該データをペースト対象に設定する」，
　及び，
「ペースト指示が，前記コピー指示の情報が前記サーバーシステムによって受信された後に，前記第２のウェブブラウザを介してユーザーによってなされることに応じて前記サーバーシステムに対して発行される，ペースト指示の情報を受信したことに基づいて，前記設定手段によって設定されているペースト対象を，当該ペースト先へペーストする」，
　という記載に，補正前の請求項２５の，
「コピー指示が，前記第１のウェブブラウザを介してユーザーによってなされることに応じて，前記記憶工程によって記憶されている当該データをペースト対象に設定する」，
　及び，
「ペースト指示が，前記第２のウェブブラウザを介してユーザーによってなされることに応じて，当該ペースト先へペーストされる」，
　という記載が，補正後の請求項２５の，
「コピー指示が前記第１のウェブブラウザを介してユーザーによってなされることに応じて前記サーバーシステムに対して発行される，所定の情報を受信したことに基づいて，前記記憶工程によって記憶されている当該データをペースト対象に設定する」，
　及び，
「ペースト指示が，ユーザーによる前記コピー指示がなされて前記所定の情報が前記サーバーシステムによって受信された後に，前記第２のウェブブラウザを介してユーザーによってなされることに応じて，当該ペースト先へペーストされる」，
　という記載に，補正前の請求項２６の，
「コピー指示が，前記第１のウェブブラウザを介してユーザーによってなされることに応じて，前記記憶工程によって記憶されている当該データをペースト対象に設定する」，
　及び，
「ペースト指示が，前記第２のウェブブラウザを介してユーザーによってなされることに応じて，前記設定工程で設定されているペースト対象を，当該ペースト先へペーストする」，
　という記載が，補正後の請求項２６の，
「コピー指示が前記第１のウェブブラウザを介してユーザーによってなされることに応じて前記サーバーシステムに対して発行される，コピー指示の情報を受信したことに基づいて，前記記憶工程によって記憶されている当該データをペースト対象に設定する」，
　及び，
「ペースト指示が，ユーザーによる前記コピー指示がなされて前記コピー指示の情報が前記サーバーシステムによって受信された後に，前記第２のウェブブラウザを介してユーザーによってなされることに応じて前記サーバーシステムに対して発行される，ペースト指示の情報を受信したことに基づいて，前記設定工程で設定されているペースト対象を，当該ペースト先へペーストする」，
　という記載に，補正前の請求項３２，及び，請求項４０の，
「データのペースト指示を，ユーザによる前記コピー指示の後にユーザから受け付ける」，
　及び，
「ペーストの指示をユーザから受け付けたことに応じて，前記クライアント装置とは異なるサーバシステムに，前記コピーが指示された前記データを前記第１の受け付け手段が受け付けた選択に対応するペースト先へペーストさせる」，
　という記載が，補正後の請求項３２，及び，請求項４０の，
「データのペースト指示を，ユーザによる前記コピー指示の情報が前記クライアント装置とは異なるサーバシステムに通知された後にユーザから受け付ける」，
　及び，
「ペーストの指示をユーザから受け付けたことに応じて，前記サーバシステムに，前記コピーが指示された前記データを前記第１の受け付け手段が受け付けた選択に対応するペースト先へペーストさせる」，
　という記載に補正されるものであって，上記指摘の補正事項は，何れも，本願明細書の段落【０１０６】〜段落【０１１０】に記載された事項にもとづくものである。
　よって，本件手続補正は，願書に最初に添付された明細書，特許請求の範囲，及び，図面に記載した事項の範囲内でなされたものであるから，特許法第１７条の２第３項の規定を満たすものである。
　そして，上記指摘の補正事項は，“データをペースト対象に設定する条件と，ペーストを実行するタイミング”を限定するものであるから，特許請求の範囲の減縮（特許法第３６条第５項の規定により請求項に記載した発明を特定するために必要な事項を限定するものであって，その補正前の当該請求項に記載された発明とその補正後の当該請求項に記載される発明の産業上の利用分野及び解決しようとする課題が同一であるものに限る）を目的とするものである。
　よって，本件手続補正は，特許法第１７条の２第５項の規定を満たすものである。
　
（２）独立特許要件
　そこで，本件手続補正が，特許法第１７条の２第６項において準用する同法第１２６条第７項の規定を満たすものであるか否か，即ち，補正後の請求項に記載されている事項により特定される発明が特許出願の際独立して特許を受けることができるものであるか否か，以下に検討する。
　
ア．補正後の請求項１に係る発明
　補正後の請求項１に係る発明（以下，これを「本件補正発明」という）は，上記「第２．平成２７年６月２４日付けの手続補正の却下の決定」の「１．補正の内容」において，補正後の請求項１として引用した，次の記載のとおりのものである。
　
「サーバーシステム外の第１のウェブブラウザおよび第２のウェブブラウザと通信可能な前記サーバーシステムであって，
　前記第１のウェブブラウザによって表示されるデータを記憶する記憶手段と，
前記記憶手段に記憶されている前記データをコピーするためのコピー指示が前記第１のウェブブラウザを介してユーザーによってなされることに応じて前記サーバーシステムに対して発行される，所定の情報を受信したことに基づいて，前記記憶手段に記憶されている当該データをペースト対象に設定する設定手段と，
を有し，
　前記ペースト対象は，前記第２のウェブブラウザによって表示されるペースト先へペースト対象をペーストするためのペースト指示が，ユーザーによる前記コピー指示がなされて前記所定の情報が前記サーバーシステムによって受信された後に，前記第２のウェブブラウザを介してユーザーによってなされることに応じて，当該ペースト先へペーストされる
　ことを特徴とするサーバーシステム。」
　
イ．引用刊行物に記載の事項
（ア）原審が，平成２６年９月１１日付けの拒絶理由（以下，これを「原審拒絶理由」という）に引用された，本願の原出願の出願前に既に公知である，特開２００２−１７６６７５号公報（平成１４年６月２１日公開，以下，これを「引用刊行物」という）には，関連する図面と共に，次の事項が記載されている。
　
Ａ．「【００４２】さらに，図２（ｃ）の例では，
ネットワーク４００を介して３台のコンピュータ３００，３１０，３２０が接続されており，そのうちの２台のコンピュータ３１０，３２０にそれぞれ２つのデバイス１３０，２３０が接続されている
【００４３】なお，図２において，コンピュータには，パーソナルコンピュータや，モバイルコンピュータ，情報処理端末装置や，ワークステーションなど，種々のコンピュータが含まれる他，実質的にコンピュータ機能を有する複写機やプリンタなどの周辺機器や，同じくコンピュータ機能を有するセット・トップ・ボックス（Set Top Box；例えば，Web TVの受信ターミナルなどに代表される情報端末の一形態）やゲーム機なども含まれる。また，図２ではデバイスがコンピュータの外部に接続されているように描いてあるが，デバイスの形態によっては，図３に示すように，デバイスとコンピュータとが一体的に構成されていても構わない。
【００４４】図３（ａ）〜（ｃ）の例では，いずれも，マシン５００がデバイス部２３０’とコンピュータ部３３０’とをそれぞれ備えており，デバイスとコンピュータとが一体化されている。」
　
Ｂ．「【００６０】図５は図１（当審注；図１は，図４の誤記である）における
モニタ３０９の画面上に表示されたスキャナ１３０ｓ用のＷｅｂページとプリンタ２３０ｐ用のＷｅｂページとを示す説明図である
【００６１】
図５に示すように，モニタ３０９の画面６００上には，Ｗｅｂブラウザ部１００によって閲覧用ウインドウ６１０が，Ｗｅｂブラウザ部２００によって閲覧用ウインドウ６２０が，それぞれ，表示されている
閲覧用ウインドウ６１０内には，スキャナ１３０ｓ用のＷｅｂページ６１２が表示される
【００６２】この時，スキャナ１３０ｓ用のＷｅｂページ６１２内には，スキャナ１３０ｓによって読み取られ，デバイスサービス部１２０に保持されている画像データに対応した画像６１６が表示される。なお，画像６１６は，上記画像データによって表示されるそのままの画像であっても良いし，いわゆるサムネイル画像であっても良い。また，画像６１６の代わりに，上記画像データに対応するアイコンや図形などを表示するようにしても良い。
【００６３】また，上記したように，ユーザによって，閲覧用ウインドウ６２０内におけるＵＲＬ入力場所６２４に，コンピュータ３２０のデバイスサービス部２２０のＵＲＬが入力されると，
閲覧用ウインドウ６２０内には，プリンタ２３０ｐ用のＷｅｂページ６２２が表示される。また，この時，プリンタ２３０ｐ用のＷｅｂページ６２２内には，プリンタ２３０ｐでの印刷を指示するための印刷指示枠６２６が表示される
　
Ｃ．「【００６６】
コンピュータ３００において，モニタ３０９の画面上に，図５に示すように，スキャナ１３０ｓ用のＷｅｂページ６１２とプリンタ２３０ｐ用のＷｅｂページ６２２とが表示されている場合
スキャナ１３０ｓ用のＷｅｂページ６１２内に表示されている画像６１６を
ドラッグし，プリンタ２３０ｐ用のＷｅｂページ６２２内に表示されている印刷指示枠６２６内に，ドロップする（ステップＳ１００）。すると，Ｗｅｂブラウザ部１００及び２００は
ドラッグ・アンド・ドロップされたことを検知して，Ｗｅｂブラウザ部１００からＷｅｂブラウザ部２００に，画像６１６に対応する画像データを保持しているデバイスサービス部１２０のＵＲＬを渡す
【００６７】次に，
Ｗｅｂブラウザ部２００は，渡されたＵＲＬを，ＨＴＴＰを使ってＷｅｂサーバ部２１０に送出し，Ｗｅｂサーバ部２１０は，そのＵＲＬをそのままデバイスサービス部２２０に渡す（ステップＳ１０４）。そして，デバイスサービス部２２０は，渡されたＵＲＬを調べて
ＩＰＰを使って，ネットワーク４００を介して，目的のデバイスサービス部１２０にアクセスし，デバイスサービス部１２０が保持している画像データを取得する（ステップＳ１０６）。続いて，デバイスサービス部２２０は，取得した画像データをプリンタ２３０ｐに渡して（ステップＳ１０８），プリンタ２３０ｐに目的の画像を印刷させる
　
Ｄ．「【００６９】また，上
記した説明においては，図１に示すデータ伝送システムが図２（ｃ）に示す接続形態に適用される場合を例にとって説明した
　
（イ）原審が，平成２７年３月１８日付けの拒絶査定（以下，これを「原審拒絶査定」という）において，周知技術を提示するために引用した，本願の原出願の出願前に既に公知である，「野田　ユウキ著「Ｗｉｎｄｏｗｓ　Ｖｉｓｔａ　パーフェクトマスター［Ｈｏｍｅ　Ｂａｓｉｃ　Ｈｏｍｅ　Ｐｒｅｍｉｕｍ　Ｂｕｓｉｎｅｓｓ対応］」株式会社秀和システム，２００７年１１月６日，第１版第２刷発行，２１２−２２０ページ」（以下，これを「周知技術文献」という）には，関連する図面と共に，次の事項が記載されている。
　
Ｅ．「ファイルやフォルダの複製を作成する場合にはいくつかの方法があります。マウスで，これらをドラッグ＆ドロップして複製を作成する場合，複製を作成する先が，同じドライブか，異なるドライブかによって操作が異なります。
　同じドライブ内に複製を作成する場合には，［Ｃｔｒｌ］キーを押しながらドラッグ＆ドロップします。［Ｃｔｒｌ］キーを併用しないと，ファイルやフォルダは移動してしまいます。これに対して異なるドライブ間では，［Ｃｔｒｌ］キーを併用する必要はありません。
　コピーか移動かは，ドラッグの途中のマウスポインタを見ます。マウスポインタに「＋」が付いていればコピーが行われます。なお，右ボタンによってドラッグ＆ドロップすると，コピーか移動かを選択することもできます。
　編集メニューやショートカットメニューからコピーを使用する場合には，コピーコマンドを実行し，複製先のフォルダに移動してから，貼り付けコマンドを実行します。
　ファイルやフォルダの移動方法は，「３．７ファイルやフォルダを別の場所に移動する」を参照してください。」（２１２頁右欄１行〜末行）
　
Ｆ．「メニューを利用したコピー＆ペースト
　画面が狭く，画面上でコピー先とコピー元が表示しにくい場合は，メニューによるコピーが便利です。この操作では，ファイルデータはメモリにコピーされます。このデータを貼り付け（ペースト）すると，複製が完了します。
　なお，エクスプローラでメニューバーを表示するには，［Ａｌｔ］キーを押します。
　（１）コピーしたいアイコンをクリックし，コピー元フォルダの編集メニューからコピーを選択します。
　（２）ここでコピー先のフォルダを開き，コピー先フォルダの編集メニューから貼り付けを選択すると，コピーしたいアイコンが貼り付けられます。」（２１５頁１行〜１０行）
　
（ウ）本願の原出願の出願前に既に公知である，特開２００２−２８８１６２号公報（平成１４年１０月４日公開，以下，これを「周知技術文献２」という）には，関連する図面と共に次の事項が記載されている。
　
Ｇ．「【００３３】
管理サーバ１１は，ユーザＩＤ等を受信すると，図５に示すユーザ情報テーブルに基づきユーザ認証を行う（図４ｂのＳＴ２２，ＳＴ２３）。この場合，正当なユーザであると判断され，データ転送用コネクションが確立され，その確立の旨が通知される（ＳＴ２４，ＳＴ２５）。会社端末２１は，その旨の通知を受け取ると（ＳＴ２７，ＳＴ２８），図６Ａに示すような「データ書込」または「データ読出」の選択画面を表示する（図４ｂのＳＴ２９）。かかる表示がなされると，ユーザは「データ書込」を選択する
【００３４】これを受けた管理サーバ１１は，図５に示すユーザ情報テーブルにおいてユーザＩＤ１０００によって特定される共有クリップボード１１１内の記憶領域２０５に，ファイルＺを書き込む（図４ｃのＳＴ３２，ＳＴ３３）。そして，書き込みが終了した旨の通知を会社端末２１に送信する（ＳＴ３４）。会社端末２１は，図６Ｂに示す書込終了画面を表示する（ＳＴ３５，ＳＴ３６）。」
　
Ｈ．「【００３７】3.2  ダウンロード処理（図４ａ，図４ｂ，図４ｄ，図１ｂ参照）
上記と同様に，自宅端末３１は，ユーザＸによって常駐プログラムの起動指令が行われると，管理サーバ１１にアクセスして，コマンド送信用コネクションを確立してもらう（ＳＴ１１〜ＳＴ１８）。そして，自宅端末３１は，ユーザＩＤ１０００，パスワードＸＡ１ＤＣＺを管理サーバ１１に送信して，データ転送用コネクションを確立してもらう（ＳＴ１９〜ＳＴ２４）。
【００３８】自宅端末３１は，データ転送用コネクションが確立された旨の通知を受け取ると，図６Ａに示すような「データ書込」または「データ読出」の選択画面を表示する（図４ｂのＳＴ２５，ＳＴ２７〜ＳＴ２９）。かかる表示がなされると，ユーザは「データ読出」を選択する。これにより，自宅端末３１は，管理サーバ１１に対して共有クリップボード１１１に記憶されているファイルの読出要求（GET）を行う（ＳＴ３０，ＳＴ３７）。これを受けた管理サーバ１１は，図５に示すユーザ情報テーブルにおいてユーザＩＤ１０００によって特定される共有クリップボード１１１内の記憶領域２０５に格納されているファイルを自宅端末３１に転送する（図４ｄのＳＴ３８〜ＳＴ４１）。この場合，上述のファイルＺが転送される。
【００３９】自宅端末３１は，ファイルＺのデータを自己のクリップボード３１１に記憶する（ＳＴ４３〜ＳＴ４５）。
【００４０】このあと，ユーザＸによってペースト操作が行われると，クリップボード３１１に記憶されたデータ（α，β，γ）の一覧表示を行い，ユーザＸがいずれかを選択すると，その中から選択されたデータのペースト処理が実行される。
【００４１】したがって，ユーザＸは，会社端末２１において作成したクリップボードデータ（α，β，γ）を，異なる端末である自宅端末３１のクリップボードにダウンロードすることができ，そのペースト処理を実行することができる。」
　
ウ．引用刊行物に記載の発明
（ア）上記Ａの「ネットワーク４００を介して３台のコンピュータ３００，３１０，３２０が接続され」という記載と，上記Ｄの「上記した説明においては，図１に示すデータ伝送システムが図２（ｃ）に示す接続形態に適用される場合を例にとって説明した」という記載から，上記Ｃの引用記載中の「コンピュータ３００」には，「コンピュータ３１０」と，「コンピュータ３２０」とが接続され，更に，上記Ａの「そのうちの２台のコンピュータ３１０，３２０にそれぞれ２つのデバイス１３０，２３０が接続されている」という記載から，前記「コンピュータ３１０」には，「デバイス１３０」が接続され，前記「コンピュータ３２０」には，「デバイス２３０」が接続されていることが読み取れる。
　そして，上記に引用した上記Ａの記載内容と，上記Ｂの「モニタ３０９の画面上に表示されたスキャナ１３０ｓ用のＷｅｂページとプリンタ２３０ｐ用のＷｅｂページ」という記載から，前記「デバイス１３０」が，「スキャナ」であり，前記「デバイス２３０」が，「プリンタ」であることが読み取れる。
　更に，上記Ａの「Ｗｅｂサーバ部１１０及びデバイスサービス部１２０は第２のコンピュータ３１０内に存在し，Ｗｅｂサーバ部２１０及びデバイスサービス部２２０は第３のコンピュータ３２０内に存在する」という記載と，上記Ｂの「閲覧用ウインドウ６１０内におけるＵＲＬ入力場所６１４に，コンピュータ３１０のデバイスサービス部１２０のＵＲＬが入力されると，閲覧用ウインドウ６１０内には，スキャナ１３０ｓ用のＷｅｂページ６１２が表示される」という記載，及び，同じく，上記Ｂの「閲覧用ウインドウ６２０内におけるＵＲＬ入力場所６２４に，コンピュータ３２０のデバイスサービス部２２０のＵＲＬが入力されると，閲覧用ウインドウ６２０内には，プリンタ２３０ｐ用のＷｅｂページ６２２が表示される」という記載から，「Ｗｅｂサーバ部１１０」，及び，「デバイスサービス部１２０」は，“スキャナが接続されたコンピュータ内に存在する，スキャナ用のＷｅｂサーバ部”，及び，“スキャナ用のデバイスサービス部”であり，「Ｗｅｂサーバ部２１０」，及び，「デバイスサービス部２２０」は，“プリンタが接続されたコンピュータ内に存在する，プリンタ用のＷｅｂサーバ部”，及び，“プリンタ用のデバイスサービス部”であることが読み取れる。
　
（イ）上記Ｂの「図５は図１におけるモニタ３０９の画面上に表示されたスキャナ１３０ｓ用のＷｅｂページとプリンタ２３０ｐ用のＷｅｂページとを示す説明図である」という記載，同じく，上記Ｂの「図５に示すように，モニタ３０９の画面６００上には，Ｗｅｂブラウザ部１００によって閲覧用ウインドウ６１０が，Ｗｅｂブラウザ部２００によって閲覧用ウインドウ６２０が，それぞれ，表示されている・・・閲覧用ウインドウ６１０内には，スキャナ１３０ｓ用のＷｅｂページ６１２が表示される」という記載，同じく，上記Ｂの「スキャナ１３０ｓ用のＷｅｂページ６１２内には，スキャナ１３０ｓによって読み取られ，デバイスサービス部１２０に保持されている画像データに対応した画像６１６が表示される」という記載，及び，同じく，上記Ｂの「閲覧用ウインドウ６２０内には，プリンタ２３０ｐ用のＷｅｂページ６２２が表示される。また，この時，プリンタ２３０ｐ用のＷｅｂページ６２２内には，プリンタ２３０ｐでの印刷を指示するための印刷指示枠６２６が表示される」という記載から，引用刊行物においては，
“モニタの画面上に，スキャナ用のＷｅｂブラウザ部によってスキャナ用の閲覧ウィンドウと，プリンタ用のＷｅｂブラウザ部によってプリンタ用の閲覧ウィンドウが表示され，前記スキャナ用の閲覧ウィンドウ内には，スキャナ用のＷｅｂページが表示され，前記スキャナ用のＷｅｂページ内には，スキャナによって読み取られ，デバイスサービス部に保存されている画像データが表示され，前記プリンタ用の閲覧ウィンドウ内には，プリンタのＷｅｂページが表示され，前記プリンタ用のＷｅｂページ内には，前記プリンタでの印刷を指示するための印刷指示枠が表示される”ものであることが読み取れる。
　
（ウ）上記（イ）において引用した，上記Ｂの記載内容から，「Ｗｅｂブラウザ部１００」は，“スキャナ用のＷｅｂブラウザ部”であり，「Ｗｅｂブラウザ部２００」は，“プリンタ用のＷｅｂブラウザ部”であるから，上記（ア），及び，（イ）において検討した事項と，上記Ｃの「コンピュータ３００において，モニタ３０９の画面上に，図５に示すように，スキャナ１３０ｓ用のＷｅｂページ６１２とプリンタ２３０ｐ用のＷｅｂページ６２２とが表示されている場合に・・・スキャナ１３０ｓ用のＷｅｂページ６１２内に表示されている画像６１６を・・・ドラッグし，プリンタ２３０ｐ用のＷｅｂページ６２２内に表示されている印刷指示枠６２６内に，ドロップする（ステップＳ１００）。すると，Ｗｅｂブラウザ部１００及び２００は，・・・ドラッグ・アンド・ドロップされたことを検知して，Ｗｅｂブラウザ部１００からＷｅｂブラウザ部２００に，画像６１６に対応する画像データを保持しているデバイスサービス部１２０のＵＲＬを渡す」という記載，同じく，上記Ｃの「Ｗｅｂブラウザ部２００は，渡されたＵＲＬを，ＨＴＴＰを使ってＷｅｂサーバ部２１０に送出し，Ｗｅｂサーバ部２１０は，そのＵＲＬをそのままデバイスサービス部２２０に渡す（ステップＳ１０４）。そして，デバイスサービス部２２０は，渡されたＵＲＬを調べて・・・ＩＰＰを使って，ネットワーク４００を介して，目的のデバイスサービス部１２０にアクセスし，デバイスサービス部１２０が保持している画像データを取得する（ステップＳ１０６）。続いて，デバイスサービス部２２０は，取得した画像データをプリンタ２３０ｐに渡して（ステップＳ１０８），プリンタ２３０ｐに目的の画像を印刷させる」という記載から，引用刊行物においては，
“コンピュータのモニタ画面上に，スキャナ用のＷｅｂページと，プリンタ用のＷｅｂページが表示されている場合，前記スキャナ用のＷｅｂページ内に表示されている画像をドラッグし，前記プリンタ用のＷｅｂページ内に表示されている印刷指示枠にドロップすると，スキャナ用のＷｅｂブラウザ部から，プリンタ用のＷｅｂブラウザ部に，スキャナが接続され，スキャナ用のＷｅｂサーバ部とデバイスサービス部とを有するコンピュータの，前記スキャナ用のデバイスサービス部のＵＲＬが渡され，前記ＵＲＬは，前記プリンタ用のＷｅｂブラウザ部からＨＴＴＰプロトコルを用いて，プリンタが接続され，プリンタ用のサーバ部とデバイスサービス部とを有するコンピュータの，前記プリンタ用のＷｅｂサーバ部に送信され，前記プリンタ用のＷｅｂサーバ部は，受信した前記ＵＲＬを，前記プリンタ用のデバイスサービス部に渡し，前記プリンタ用のデバイスサービス部は，前記ＵＲＬを用いて，前記スキャナ用のデバイスサービス部から，前記画像を取得し，取得した前記画像を，プリンタに印刷させる”ものであることが読み取れる。
　
（エ）上記（ア）〜（ウ）において検討した事項から，引用刊行物には，次の発明（以下，これを「引用発明」という）が記載されているものと認める。
　
　コンピュータのモニタの画面上に，スキャナ用のＷｅｂブラウザ部によってスキャナ用の閲覧ウィンドウと，プリンタ用のＷｅｂブラウザ部によってプリンタ用の閲覧ウィンドウが表示され，前記スキャナ用の閲覧ウィンドウ内には，スキャナ用のＷｅｂページが表示され，前記スキャナ用のＷｅｂページ内には，スキャナによって読み取られ，デバイスサービス部に保存されている画像データが表示され，前記プリンタ用の閲覧ウィンドウ内には，プリンタのＷｅｂページが表示され，前記プリンタ用のＷｅｂページ内には，前記プリンタでの印刷を指示するための印刷指示枠が表示されるコンピュータであって，
　前記モニタ画面上に，スキャナ用のＷｅｂページと，プリンタ用のＷｅｂページが表示されている場合，前記スキャナ用のＷｅｂページ内に表示されている画像をドラッグし，前記プリンタ用のＷｅｂページ内に表示されている印刷指示枠にドロップすると，スキャナ用のＷｅｂブラウザ部から，プリンタ用のＷｅｂブラウザ部に，スキャナが接続され，スキャナ用のＷｅｂサーバ部とデバイスサービス部とを有するコンピュータの，前記スキャナ用のデバイスサービス部のＵＲＬが渡され，前記ＵＲＬは，前記プリンタ用のＷｅｂブラウザ部からＨＴＴＰプロトコルを用いて，プリンタが接続され，プリンタ用のサーバ部とデバイスサービス部とを有するコンピュータの，前記プリンタ用のＷｅｂサーバ部に送信され，前記プリンタ用のＷｅｂサーバ部は，受信した前記ＵＲＬを，前記プリンタ用のデバイスサービス部に渡し，前記プリンタ用のデバイスサービス部は，前記ＵＲＬを用いて，前記スキャナ用のデバイスサービス部から，前記画像を取得し，取得した前記画像を，プリンタに印刷させる，コンピュータ。
　
エ．本件補正発明と引用発明との対比
（ア）引用発明における「スキャナ用のＷｅｂサーバ部とデバイスサービス部とを有するコンピュータ」，及び，「プリンタ用のサーバ部とデバイスサービス部とを有するコンピュータ」と，「プリンタでの印刷を指示するための印刷指示枠が表示されるコンピュータ」とは異なる「コンピュータ」であり，引用発明において，前記「プリンタでの印刷を指示するための印刷指示枠が表示されるコンピュータ」は，「スキャナ用のＷｅｂブラウザ部によってスキャナ用の閲覧ウィンドウと，プリンタ用のＷｅｂブラウザ部によってプリンタ用の閲覧ウィンドウが表示され」るものであるから，「スキャナ用のＷｅｂブラウザ部」と，「プリンタ用のＷｅｂブラウザ部」は，前記「プリンタでの印刷を指示するための印刷指示枠が表示されるコンピュータ」に存在するものである。
　一方，上記指摘の事項から，「スキャナ用のサーバ部」，及び，「プリンタ用のサーバ部」は，前記「プリンタでの印刷を指示するための印刷指示枠が表示されるコンピュータ」とは異なる「コンピュータ」上に存在しており，前記「プリンタでの印刷を指示するための印刷指示枠が表示されるコンピュータ」には，「スキャナ用のＷｅｂページ」と，「プリンタ用のＷｅｂページ」が表示されていて，前記「プリンタ用のＷｅｂブラウザ部」から，「ＵＲＬ」が，「ＨＴＴＰプロトコル」用いて，「プリンタ用のＷｅｂサーバ部」に送信されるものであるから，前記プリンタでの印刷を指示するための印刷指示枠が表示されるコンピュータ」上の「Ｗｅｂブラウザ部」と，他の「コンピュータ」上に存在する，前記「スキャナ用のＷｅｂサーバ部」，及び，「プリンタ用のＷｅｂサーバ部」とは，“通信可能である”ことは明らかである。
　
（イ）引用発明において，「スキャナ用のＷｅｂブラウザ部」によって「モニタ」に表示される，「スキャナ用の閲覧ウィンドウ」内に表示される「スキャナ用のＷｅｂページ」に，「スキャナによって読み取られ，デバイスサービス部に保存される画像データ」が表示されるのであるから，
引用発明における「スキャナ用のＷｅｂブラウザ部」，「画像データ」が，
本件補正発明における「第１のウェブブラウザ」，「第１のウェブブラウザによって表示されるデータ」に相当し，
　引用発明において，前記「画像データ」は，“スキャナ用のデバイスサービス部”に保存されるのであるから，引用発明における“スキャナ用のデバイスサービス部”が，
　本件補正発明における「第１のウェブブラウザによって表示されるデータを記憶する記憶手段」に相当する。
　
（ウ）引用発明においては，「プリンタ用のＷｅｂページが表示されている場合，前記スキャナ用のＷｅｂページ内に表示されている画像をドラッグ」し，結果，前記「画像データ」は，「スキャナ」から，「プリンタ」へ送られることから，前記「プリンタ」が，前記「画像データ」の移動先であるので，
　引用発明における「プリンタ用のＷｅｂブラウザ部」が，
　本件補正発明における「第２のウェブブラウザ」に相当する。
　
（エ）上記（ア）〜（ウ）において検討した事項から，
　引用発明において，「プリンタでの印刷を指示するための印刷指示枠が表示されるコンピュータ」上の「スキャナ用のＷｅｂブラウザ部」，及び，「プリンタ用のＷｅｂブラウザ部」は，前記「プリンタでの印刷を指示するための印刷指示枠が表示されるコンピュータ」とは異なるコンピュータ上の「スキャナ用のＷｅｂサーバ部」，及び，「プリンタ用のＷｅｂサーバ部」と通信可能であるから，
　上記指摘の，引用発明における“スキャナ用のＷｅｂサーバ部，及び，プリンタ用のＷｅｂサーバ部とは異なるコンピュータ上のスキャナ用のＷｅｂブラウザ部，及び，プリンタ用のＷｅｂブラウザ部と通信可能なスキャナ用のＷｅｂサーバ部，及び，プリンタ用のＷｅｂサーバ部”が，
　本件補正発明における「サーバーシステム外の第１のウェブブラウザおよび第２のウェブブラウザと通信可能な前記サーバーシステム」に相当する。
　
（オ）引用発明において，「スキャナ用のＷｅｂページ内に表示されている画像をドラッグ」するということは，「コンピュータのモニタの画面」を見ている“ユーザー”によって行われるものであることは，明らかであり，前記「ドラッグ」操作は，“スキャナ用のデバイスサービス部に保存されている画像データ”への“複製指示”であるから，
　本件補正発明における「記憶手段に記憶されている前記データをコピーするためのコピー指示が前記第１のウェブブラウザを介してユーザーによってなされること」と，
“記憶手段に記憶されているデータを複製するための指示が，第１のウェブブラウザを介してユーザーによってなされること”である点で共通する。
　
（カ）引用発明において，「プリンタ用のＷｅｂページ内に表示されている印刷指示枠にドロップする」ことは，“ユーザー”によって，「プリンタ用のＷｅｂページ」に対してなされることであって，該「ドロップ」の結果，「プリンタ」へ「画像データ」が渡されるのであるから，
　本件補正発明における「第２のウェブブラウザによって表示されるペースト先へペースト対象をペーストするためのペースト指示が，ユーザーによる前記コピー指示がなされて前記所定の情報が前記サーバーシステムによって受信された後に，前記第２のウェブブラウザを介してユーザーによってなされることに応じて，当該ペースト先へペーストされる」
　ことと，
“第２のウェブブラウザによって表示される複製先へ複製対象を複製するための指示が，前記第２のウェブブラウザを介してユーザーによってなされることに応じて，当該複製先へ複製される”点で共通する。
　
（キ）以上，（ア）〜（カ）において検討した事項から，本件補正発明と，引用発明との，一致点，及び，相違点は，次のとおりである。
　
［一致点］
　サーバーシステム外の第１のウェブブラウザおよび第２のウェブブラウザと通信可能な前記サーバーシステムであって，
　第１のウェブブラウザによって表示されるデータを記憶する記憶手段を有し，
　記憶手段に記憶されているデータを複製するための指示が，第１のウェブブラウザを介してユーザーによってなされ，
　第２のウェブブラウザによって表示される複製先へ複製対象を複製するための指示が，前記第２のウェブブラウザを介してユーザーによってなされることに応じて，当該複製先へ複製される，サーバーシステム。
　
［相違点１］
“記憶手段に記憶されているデータを複製するための指示が，第１のウェブブラウザを介してユーザーによってなされ”ることに関して，
　本件補正発明においては，当該「指示」が，「コピー指示」であり，「サーバーシステム」が，前記「指示」が「なされることに応じて前記サーバーシステムに対して発行される，所定の情報を受信したことに基づいて，前記記憶手段に記憶されている当該データをペースト対象に設定する設定手段」を有するものであるのに対して，
　引用発明においては，当該「指示」が，「ドラッグ」であり，該「ドラック」の指示が，「所定の情報」の情報と共に，「スキャナ用のＷｅｂサーバ部」，或いは，該「スキャナ用のＷｅｂサーバ部を有するコンピュータ」に送られ，その結果，「スキャナ用のデバイスサービス部に保存されている画像データ」を，「ドラッグ」対象と設定する「設定手段」についての言及がない点。
　
［相違点２］
“第２のウェブブラウザによって表示される複製先へ複製対象を複製するための指示が，前記第２のウェブブラウザを介してユーザーによってなされることに応じて，当該複製先へ複製される”点に関して，
　本件補正発明においては，「複製するための指示」が，「ペースト指示」であって，前記「ペースト指示」が，「ユーザーによる前記コピー指示がなされて前記所定の情報が前記サーバーシステムによって受信された後に，前記第２のウェブブラウザを介してユーザーによってなされる」ものであるのに対して，
　引用発明においては，「複製するための指示」が，「ドロップ」であり，該「指示」が，「所定の情報の受信後」に行われることについての言及がない点。
　
オ．相違点についての当審の判断
（ア）［相違点１］について
　周知技術文献２には，上記Ｇにおいて引用した記載中に，「管理サーバ１１は，ユーザＩＤ等を受信すると，図５に示すユーザ情報テーブルに基づきユーザ認証を行う（図４ｂのＳＴ２２，ＳＴ２３）。この場合，正当なユーザであると判断され，データ転送用コネクションが確立され，その確立の旨が通知される（ＳＴ２４，ＳＴ２５）。会社端末２１は，その旨の通知を受け取ると（ＳＴ２７，ＳＴ２８），図６Ａに示すような「データ書込」または「データ読出」の選択画面を表示する（図４ｂのＳＴ２９）。かかる表示がなされると，ユーザは「データ書込」を選択する」とあり，該引用記載中の「ユーザＩＤ等」が，本件補正発明における「所定の情報」に相当するので，“所定の情報を受信したことに基づいて，サーバーにおいて，データの転送処理を受け付ける”ことは，本願の原出願の出願前に，当業者には周知の技術事項である。
　ここで，周知技術文献２は，上記Ｇ，及び，Ｈに引用した記載中にあるとおり，本件補正発明と同様に，「コピー＆ペースト」操作であるのに対して，引用発明は，「ドラッグ＆ドロップ」操作であるが，上記Ｅ，及び，Ｆにおいて引用した，周知技術文献にも記載されているとおり，「ドラッグ＆ドロップ」操作，及び，「コピー＆ペースト」操作は，共に，周知の操作であり，同じく，上記Ｅ，及び，Ｆに記載されているように，「ドラッグ＆ドロップ」操作に換えて，「コピー＆ペースト」操作を採用することは，当業者に採っては，周知の技術事項に過ぎない。
　また，周知技術文献２においては，「データ書込」依頼時，即ち，「コピー」操作時に,「ユーザ」側から，「管理サーバ」へ「データ」の移動が発生しているが，引用発明においては，「データ」は，「サーバ」側に存在しているので，「データ」の移動手法として，引用発明における「ドラッグ＆ドロップ」操作に換えて，周知技術文献２における「コピー＆ペースト」操作を採用した場合に，「コピー」依頼時に，「データ」の移動が発生しないことは明らかである。
　よって，［相違点１］は,格別のものではない。
　
（イ）［相違点２］について
　上記（ア）において検討した，周知技術文献２の上記Ｇ，及び，Ｈにおいて引用した記載にもあるとおり，「自宅端末」からの「ペースト処理」は，上記（ア）において検討した，「ユーザＩＤ等」を，「管理サーバ」が受信した後であることは明らかであるから，そのような「ペースト処理」を行うようにすることは，本願の原出願の出願前に，当業者には周知の技術事項であり，上記（ア）において検討したとおり，周知技術文献２における「ＩＤ」等が，本件補正発明における「所定の情報」に相当するものであるから，引用発明における「ドラッグ＆ドロップ」操作に換えて，周知技術文献２における「コピー＆ペースト」操作を採用した際に，「ＩＤ」等の，「所定の情報」を，「サーバー」に送信し，前記「サーバー」が，該「所定の情報」を受信した後に，「データ」を受信するよう構成することは，当業者が適宜なし得る事項である。
　よって，［相違点２］は，格別のものではない。
　
（ウ）以上（ア），及び，（イ）において検討したとおり，［相違点１］，及び，［相違点２］はいずれも格別のものではなく，そして，本願発明の構成によってもたらされる効果も，当業者であれば容易に予測できる程度のものであって，格別なものとは認められない。
　よって，本件補正発明は，引用発明，及び，周知技術文献１，周知技術文献２に開示の当該技術分野における周知技術に基づいて，当業者が容易に発明をすることができたものであるから，特許法第２９条第２項の規定により特許出願の際，独立して特許を受けることができない。
　
３．補正却下むすび
　したがって，本件手続補正は，特許法第１７条の２第６項において準用する同法第１２６条第７項の規定に違反するので，同法第１５９条第１項の規定において読み替えて準用する同法第５３条第１項の規定により却下すべきものである。
　
　よって，補正却下の決定の結論のとおり決定する。
　
第３．本願発明について
　平成２７年６月２４日付けの手続補正は，上記のとおり却下されたので，本願の請求項１に係る発明（以下，これを「本願発明」という）は，平成２６年１１月１７日付けの手続補正により補正された，上記「第２．平成２７年６月２４日付けの手続補正の却下の決定」の「１．補正の内容」において，補正前の請求項１として引用した，次の記載のとおりのものである。
　
「サーバーシステム外の第１のウェブブラウザおよび第２のウェブブラウザと通信可能な前記サーバーシステムであって，
　前記第１のウェブブラウザによって表示されるデータを記憶する記憶手段と，
　前記記憶手段に記憶されている前記データをコピーするためのコピー指示が，前記第１のウェブブラウザを介してユーザーによってなされることに応じて，前記記憶手段に記憶されている当該データをペースト対象に設定する設定手段と，
　を有し，
　前記ペースト対象は，前記第２のウェブブラウザによって表示されるペースト先へペースト対象をペーストするためのペースト指示が，前記第２のウェブブラウザを介してユーザーによってなされることに応じて，当該ペースト先へペーストされる
　ことを特徴とするサーバーシステム。」
　
第４．引用刊行物に記載の発明
　上記「第２．平成２７年６月２４日付けの手続補正の却下の決定」の「２．補正の適否」における「（２）独立特許要件」の「イ．引用刊行物に記載の事項」において，引用刊行物１として引用された，原審拒絶理由に引用の，特開２００２-１７６６７５号公報（平成１４年６月２１日公開）には，上記「第２．平成２７年６月２４日付けの手続補正の却下の決定」の「２．補正の適否」における「（２）独立特許要件」の「ウ．引用刊行物に記載の発明」において検討したとおりの，引用発明が記載されているものと認める。
　
第５．本願発明と引用発明との対比
　本願発明は，本件補正発明における「コピー指示が・・・サーバーシステムに対して発行される，所定の情報を受信したことに基づいて」という限定事項と，「ペースト指示が，ユーザーによる前記コピー指示がなされて前記所定の情報がサーバーシステムに受信された後に」という限定事項を取り除いたものであるから，
　本願発明と，引用発明との，一致点，及び，相違点は，次のとおりである。
　
［一致点］
　サーバーシステム外の第１のウェブブラウザおよび第２のウェブブラウザと通信可能な前記サーバーシステムであって，
　第１のウェブブラウザによって表示されるデータを記憶する記憶手段を有し，
　記憶手段に記憶されているデータを複製するための指示が，第１のウェブブラウザを介してユーザーによってなされ，
　第２のウェブブラウザによって表示される複製先へ複製対象を複製するための指示が，前記第２のウェブブラウザを介してユーザーによってなされることに応じて，当該複製先へ複製される，サーバーシステム。
　
［相違点ａ］
“記憶手段に記憶されているデータを複製するための指示が，第１のウェブブラウザを介してユーザによってなされ”ることに関して，
　本件補正発明においては，当該「指示」が，「コピー指示」であり，「サーバーシステム」が，前記「指示」が「なされることに応じて，前記記憶手段に記憶されている当該データをペースト対象に設定する設定手段」を有するものであるのに対して，
　引用発明においては，当該「指示」が，「ドラッグ」であり，該「ドラック」の指示が，「スキャナ用のＷｅｂサーバ部」，或いは，該「スキャナ用のサーバ部を有するコンピュータ」に送られ，その結果，「スキャナ用のデバイスサービス部に保存されている画像データ」を，「ドラッグ」対象と設定する「設定手段」についての言及がない点。
　
［相違点ｂ］
“第２のウェブブラウザによって表示される複製先へ複製対象を複製するための指示が，前記第２のウェブブラウザを介してユーザーによってなされることに応じて，当該複製先へ複製される”点に関して，
　本件補正発明においては，「複製するための指示」が，「ペースト指示」であるのに対して，
　引用発明においては，「複製するための指示」が，「ドロップ」である点。
　
第６．相違点についての当審の判断
　上記「第２．平成２７年６月２４日付けの手続補正の却下の決定」の「２．補正の適否」における「（２）独立特許要件」の「オ．相違点についての当審の判断」において，周知技術文献２を引用して，（ア），及び，（イ）において検討したとおり，「ユーザー」から，「サーバー」に対して，「コピー」操作の要求を出し，その後，前記「サーバー」に対して，別の「ユーザー」の装置から，前記「コピー」操作要求に対応する，「ペースト」操作要求を発行し，前記「ペースト」操作要求に呼応して，前記「ペースト」処理が実行されるよう構成すること自体は，本願の原出願の出願前に，当業者には，周知の技術事項であり，「ドラッグ＆ドロップ」操作に換えて，「コピー＆ペースト」操作を行うことも，周知技術文献に開示されているように，当業者には周知の手法に過ぎないので，引用発明においても，「ドラッグ＆ドロップ」操作に換えて，「コピー＆ペースト」操作を採用することは，当業者が適宜なし得る事項である。
　よって，［相違点ａ］，及び，［相違点ｂ］は，格別のものではない。
　
第７．むすび
　したがって，本願発明は，本願の特許出願前に日本国内又は外国において頒布された刊行物に記載された発明又は電気通信回線を通じて公衆に利用可能となった発明に基づいて当業者が容易に発明をすることができたものであるので，特許法第２９条第２項の規定により特許を受けることができない。
　
　よって，結論のとおり審決する。